(57)【要約】【課題】迷走電流による信号波形の崩れや通信断の発生を抑制する。【解決手段】通信装置Ｔ１，Ｔ２に直流電流を供給するプラス導体とマイナス導体の電流の大きさの差を求めて、その差が所定の範囲内に収まっているか否かを判定し、範囲外の場合には、プラス導体のインピーダンスを調節して電圧降下を発生させる。これにより、プラス導体とマイナス導体の電流の大きさをバランスさせて、通信装置Ｔ１，Ｔ２間の電位差を小さくすることができるので、迷走電流の抑制が可能となる。その結果、通信装置Ｔ１，Ｔ２を接続する通信ケーブルＴＣ１に流れ込む迷走電流を防ぐことができ、通信障害を回避することができる。また、本発明を適用する際には通信ケーブルＴＣ１を取り外す必要がなく、通信を停止しなくてもよい。【選択図】図１
2010074702.tif 000002
【特許請求の範囲】
【請求項１】
通信用接地に接続されている第１の導体と前記通信用接地に接続されていない第２の導体を通じて通信装置に給電される直流電流の大きさを制御する直流給電制御方法であって、
前記第１の導体と前記第２の導体のそれぞれに流れる直流電流の大きさを測定するステップと、
前記第１の導体に流れる直流電流の大きさと前記第２の導体に流れる直流電流の大きさの差を求め、その差が所定の範囲外になったときに、その差が前記範囲内に収まるように前記第１の導体のインピーダンスを調整するステップと、
を有することを特徴とする直流給電制御方法。
【請求項２】
通信用接地に接続されている第１の導体と前記通信用接地に接続されていない第２の導体を通じて通信装置に給電される直流電流の大きさを制御する直流給電制御方法であって、
前記通信用接地に流れる直流電流の大きさを測定するステップと、
前記直流電流の大きさが所定の範囲外になったときに、その直流電流の大きさが前記範囲内に収まるように前記第１の導体のインピーダンスを調整するステップと、
を有することを特徴とする直流給電制御方法。
【請求項３】
通信用接地に接続されている第１の導体と前記通信用接地に接続されていない第２の導体を通じて通信装置に給電される直流電流の大きさを制御する直流給電制御装置であって、
前記第１の導体と前記第２の導体のそれぞれに流れる直流電流の大きさを測定する測定手段と、
前記第１の導体に流れる直流電流の大きさと前記第２の導体に流れる直流電流の大きさの差を求め、その差が所定の範囲外になったときに、その差が前記範囲内に収まるように前記第１の導体のインピーダンスを調整する調整手段と、
を有することを特徴とする直流給電制御装置。
【請求項４】
通信用接地に接続されている第１の導体と前記通信用接地に接続されていない第２の導体を通じて  通信装置に給電される直流電流の大きさを制御する直流給電制御装置であって、
前記通信用接地に流れる直流電流の大きさを測定する測定手段と、
前記直流電流の大きさが所定の範囲外になったときに、その直流電流の大きさが前記範囲内に収まるように前記第１の導体のインピーダンスを調整する調整手段と、
を有することを特徴とする直流給電制御装置。
【発明の詳細な説明】
【技術分野】
【０００１】
本発明は、直流電流が供給される通信装置において、迷走電流による通信障害を抑制する技術に関する。
【背景技術】
【０００２】
通信ビルに設置されている通信装置は、給電する整流器の他に、その整流器が故障しても通信を停止させないためのバックアップ整流器が配置されている。
【０００３】
図６は、従来の通信ビルの接地給電系統について説明するための概略図である。通信ビルには、通信ケーブルＴＣ１により互いに接続されて通信を行う２台の通信装置Ｔ１，Ｔ２が配置される。通信装置Ｔ１，Ｔ２のそれぞれは、プラス導体、マイナス導体により、直流電流分配装置Ｓ１，Ｓ２を介して整流器Ｌ１，Ｌ２が接続されて給電される。整流器Ｌ１，Ｌ２のそれぞれには、バックアップ用として、整流器Ｒ１，Ｒ２および蓄電池Ｂ１，Ｂ２が接続される。整流器Ｒ１，Ｒ２はプラス導体により共通の通信用接地Ｅ０に接地される。
【０００４】
正常時においては、通信装置Ｔ１は直流電流分配装置Ｓ１を経由して整流器Ｌ１から給電される。このときの給電経路ＣＬ１は、図６に示すように、整流器Ｌ１→プラス導体ＰＬＰ１２→直流電流分配装置Ｓ１→プラス導体ＰＬＰ１３→通信装置Ｔ１→マイナス導体ＰＬＭ１３→直流電流分配装置Ｓ１→マイナス導体ＰＬＭ１２→整流器Ｌ１である。同様に、通信装置Ｔ２は直流電流分配装置Ｓ２を経由して整流器Ｌ２から給電される。このときの給電経路ＣＬ２は、整流器Ｌ２→プラス導体ＰＬＰ２２→直流電流分配装置Ｓ２→プラス導体ＰＬＰ２３→通信装置Ｔ２→マイナス導体ＰＬＭ２３→直流電流分配装置Ｓ２→マイナス導体ＰＬＭ２２→整流器Ｌ２である。
【０００５】
蓄電池Ｂ１，Ｂ２は十分に充電されており、整流器Ｒ１，Ｒ２は、蓄電池Ｂ１，Ｂ２に充電する必要がないので電流を供給していない。整流器Ｌ１，Ｌ２と整流器Ｒ１，Ｒ２とをつなぐバックアップ用給電線にも電流が流れず、整流器Ｌ１と整流器Ｒ１の間及び整流器Ｌ２と整流器Ｒ２の間には給電電流による電位差が生じていない。したがって、通信装置Ｔ１，Ｔ２間にも電位差がほとんど生じない状態である。
【０００６】
次に、整流器Ｌ１が故障したときの給電経路について説明する。図７は、図６に示した接地給電系統において、通信装置Ｔ１に給電する整流器Ｌ１が故障したときの給電経路を説明するための概略図である。整流器Ｌ１が故障した場合、通信装置Ｔ１は、バックアップ用の整流器Ｒ１及び蓄電池Ｂ１から給電される。このときの給電経路ＣＬ１’は、整流器Ｒ１→プラス導体ＰＬＰ１１→プラス導体ＰＬＰ１２→直流電流分配装置Ｓ１→プラス導体ＰＬＰ１３→通信装置Ｔ１→マイナス導体ＰＬＭ１３→直流電流分配装置Ｓ１→マイナス導体ＰＬＭ１２→マイナス導体ＰＬＭ１１→整流器Ｒ１である。
【０００７】
このとき、バックアップ用給電線であるプラス導体ＰＬＰ１１には大きな電流が流れるため、導体の持つ電気抵抗による電位降下が発生する。この電位降下の分だけ通信装置Ｔ１の電位は正常時の給電経路ＣＬ１で給電されていた場合よりも低下することになる。一方、通信装置Ｔ２は、整流器Ｌ２から給電されているためバックアップ用給電線による電圧降下が発生しない。その結果、通信装置Ｔ１と通信装置Ｔ２の間の電位差が大きくなる。
【０００８】
通信装置Ｔ１と通信装置Ｔ２の間の電位差が大きくなると、通信用接地Ｅ０が共通であることから、整流器Ｒ１から通信装置Ｔ２側に向かい、通信ケーブルＴＣ１を通って通信装置Ｔ１に向かう迷走電流経路ＣＬＭ１’を流れる迷走電流が大きくなる。その結果、通信ケーブルＴＣ１に迷走電流の一部が重畳し、信号波形が崩れることで通信装置Ｔ１，Ｔ２が警報を発出もしくは通信断となる場合がある。
【０００９】
そこで、図８に示すように、通信ケーブル（同軸ケーブルやペア線）に絶縁トランスを取り付け、通信ケーブルＴＣ１を流れる直流電流を遮断することで、通信装置Ｔ１，Ｔ２間に電位差が生じても通信ケーブルＴＣ１には迷走電流が流れないので、通信ケーブルＴＣ１に流れる信号波形の崩れを防いでいる。
【００１０】
非特許文献１は、接地技術に関連する技術が開示されている。
【非特許文献１】加藤  潤、外２名、「進化する通信インフラに対応した接地技術」、ＮＴＴ技術ジャーナル、２００７年、第１９巻、第９号、p.82-85
【発明の開示】
【発明が解決しようとする課題】
【００１１】
しかしながら、通信ケーブルで対策を行う場合、通信ケーブルを取り外す必要があるため、通信を停止する必要がある。通信を停止するためには、利用者の了解を得て回線を借用する必要があるが、多数の回線を重畳している通信装置間の通信ケーブルにおいては、全ての利用者の了解を得ることが難しく、対策がなかなか普及しにくいという問題点がある。
【００１２】
本発明は、上記に鑑みてなされたものであり、その課題とするところは、通信を停止することなく、迷走電流による信号波形の崩れや通信断の発生を抑制することにある。
【課題を解決するための手段】
【００１３】
第１の本発明に係る直流給電制御方法は、通信用接地に接続されている第１の導体と通信用接地に接続されていない第２の導体を通じて通信装置に給電される直流電流の大きさを制御する直流給電制御方法であって、第１の導体と第２の導体のそれぞれに流れる直流電流の大きさを測定するステップと、第１の導体に流れる直流電流の大きさと第２の導体に流れる直流電流の大きさの差を求め、その差が所定の範囲外になったときに、その差が範囲内に収まるように第１の導体のインピーダンスを調整するステップと、を有することを特徴とする。
【００１４】
第２の本発明に係る直流給電制御方法は、通信用接地に接続されている第１の導体と通信用接地に接続されていない第２の導体を通じて通信装置に給電される直流電流の大きさを制御する直流給電制御方法であって、通信用接地に流れる直流電流の大きさを測定するステップと、直流電流の大きさが所定の範囲外になったときに、その直流電流の大きさが範囲内に収まるように第１の導体のインピーダンスを調整するステップと、を有することを特徴とする。
【００１５】
第３の本発明に係る直流給電制御装置は、通信用接地に接続されている第１の導体と通信用接地に接続されていない第２の導体を通じて通信装置に給電される直流電流の大きさを制御する直流給電制御装置であって、第１の導体と第２の導体のそれぞれに流れる直流電流の大きさを測定する測定手段と、第１の導体に流れる直流電流の大きさと第２の導体に流れる直流電流の大きさの差を求め、その差が所定の範囲外になったときに、その差が範囲内に収まるように第１の導体のインピーダンスを調整する調整手段と、を有することを特徴とする。
【００１６】
第４の本発明に係る直流給電制御装置は、通信用接地に接続されている第１の導体と通信用接地に接続されていない第２の導体を通じて通信装置に給電される直流電流の大きさを制御する直流給電制御装置であって、通信用接地に流れる直流電流の大きさを測定する測定手段と、直流電流の大きさが所定の範囲外になったときに、その直流電流の大きさが範囲内に収まるように第１の導体のインピーダンスを調整する調整手段と、を有することを特徴とする。
【発明の効果】
【００１７】
本発明にあっては、通信装置に直流電流を供給する第１の導体と第２導体のそれぞれに流れる直流電流を測定し、それぞれの直流電流の大きさの差を求めて、その差が所定の範囲内に収まっているか否かを判定し、範囲外の場合には、第１の導体のインピーダンスを調節することにより、第１の導体と第２の導体のそれぞれに流れる電流の大きさをバランスさせて、通信装置とその通信装置に接続されている別の通信装置との間の電位差を小さくすることができるので、通信ケーブルで接続された通信装置間の電位差が生じることにより発生する迷走電流の抑制が可能となる。その結果、通信装置間を接続する通信ケーブルに流れ込む迷走電流を防ぐことができ、通信障害を回避することができる。また、ケーブルに対策を施すものではないため、通信を停止する必要がない。
【００１８】
このように、本発明によれば、通信を停止することなく、迷走電流による信号波形の崩れや通信断の発生を抑制することができる。
【発明を実施するための最良の形態】
【００１９】
［第１の実施の形態］
図１は、第１の実施の形態における制御装置を適用した接地給電系統の構成を示す概略図である。通信装置Ｔ１，Ｔ２は、通信ケーブルＴＣ１により互いに接続される。通信装置Ｔ１，Ｔ２のそれぞれは、プラス導体、マイナス導体により、直流電流分配装置Ｓ１，Ｓ２を介して整流器Ｌ１，Ｌ２が接続されて直流電流が給電される。整流器Ｌ１，Ｌ２のそれぞれには、バックアップ用として、整流器Ｒ１，Ｒ２および蓄電池Ｂ１，Ｂ２がパックアップ用給電線により接続される。整流器Ｒ１，Ｒ２はプラス導体により共通の通信用接地Ｅ０に接地される。直流電流分配装置Ｓ１，Ｓ２の整流器Ｌ１，Ｌ２側には、迷走電流を小さくするための制御装置１０，２０が配置される。
【００２０】
次に、制御装置について説明する。制御装置１０，２０は、プラス導体とマイナス導体に流れる電流のアンバランスを検知し、プラス導体側のインピーダンスを調節する装置である。例えば、通信装置Ｔ１に給電する整流器Ｌ１が故障した場合、通信装置Ｔ１は、バックアップ用の整流器Ｒ１及び蓄電池Ｂ１により給電される。このとき、バックアップ用給電線による電位降下が発生するため、通信装置Ｔ１の電位は低下し、通信装置Ｔ２との電位差が大きくなる。通信用接地Ｅ０が共通であることから、通信用接地Ｅ０に接続されたプラス導体に整流器Ｒ１から通信装置Ｔ２へ向かう迷走電流が流れ、通信装置Ｔ２に接続されたマイナス導体の電流の大きさとプラス導体の電流の大きさが等しくなくなる。このとき、制御装置２０がプラス導体とマイナス導体に流れる電流の大きさのアンバランスを検知し、プラス導体側のインピーダンスを調整することで通信装置Ｔ１，Ｔ２間の電位差を小さくし、異常な経路で流れる迷走電流を抑制する。その結果、通信ケーブルＴＣ１に迷走電流が流れず通信断を回避することができる。
【００２１】
図２に示すように、制御装置１０は、プラス導体、マイナス導体それぞれを流れる電流の大きさを測定する測定部１１と、プラス導体側のインピーダンスを調整する調整部１２とを備える。測定部１１により測定した各導体に流れる電流の大きさの差が所定の範囲外となった場合、調整部１２は、電流の大きさの差が所定の範囲に収まるようにプラス導体側のインピーダンスを調整する。インピーダンスを調整するものとして、アッテネータや可変抵抗などを用いる。制御装置２０も同様の構成である。
【００２２】
次に、制御装置がインピーダンスを調整する処理の流れを図を用いて説明する。
【００２３】
図３は、制御装置が直流電流を制御する動作を示すフローチャートである。
【００２４】
まず、整流器から直流電流分配装置に流入するプラス導体を流れる電流Ｉ１を測定し（ステップＳ３０１）、直流電流分配装置から整流器に流出するマイナス導体を流れる電流Ｉ２を測定する（ステップＳ３０２）。
【００２５】
続いて、電流Ｉ１の大きさから電流Ｉ２の大きさを引いた値が閾値Ｉsh1を超えているか否か判定する（ステップＳ３０３）。閾値Ｉsh1を超えている場合は、プラス導体側のインピーダンスを増加させる（ステップＳ３０４）。
【００２６】
電流Ｉ１の大きさから電流Ｉ２の大きさを引いた値が閾値Ｉsh2より小さいか否かを判定する（ステップＳ３０５）。閾値Ｉsh2より小さい場合は、プラス導体側のインピーダンスを減少させる（ステップＳ３０６）。
【００２７】
いずれも該当しない場合は、電流Ｉ１の大きさと電流Ｉ２の大きさはバランスしているので、プラス導体側のインピーダンスを維持する（ステップＳ３０７）。
【００２８】
図４は、直流電流分配装置に複数の通信装置が接続された接地給電系統の様子を示す概略図である。図１で示した制御装置は、直流電流分配装置に配置され、整流器と直流電流分配装置との間のＢ地点においてインピーダンスを調整をするものである。符号４０１で示す経路に迷走電流が流れた場合、Ｂ地点においてインピーダンスを調整すると、通信装置Ｔ３，Ｔ４が影響を受ける。そこで、制御装置を通信装置と直流電流分配装置との間のＡ地点に配置することで、通信装置Ｔ３，Ｔ４に影響を与えることなく給電電流を制御することができる。このとき、制御装置は通信装置に配置されるものでも、直流電流分配装置の通信装置側に配置されるものでもよく、通信装置と直流電流分配装置の間に配置されるものでもよい。
【００２９】
なお、整流器とバックアップ用整流器との間のＣ地点に制御装置を配置することも可能である。この場合、整流器に接続した他の直流電流分配装置が影響を受けることがある。
【００３０】
したがって、本実施の形態によれば、通信装置Ｔ１，Ｔ２に直流電流を供給するプラス導体とマイナス導体の電流の大きさの差を求めて、その差が所定の範囲内に収まっているか否かを判定し、範囲外の場合には、プラス導体のインピーダンスを調節して電圧降下を発生させることにより、プラス導体とマイナス導体の電流の大きさをバランスさせて、通信装置Ｔ１，Ｔ２間の電位差を小さくすることができるので、迷走電流の抑制が可能となる。その結果、通信装置Ｔ１，Ｔ２を接続する通信ケーブルＴＣ１に流れ込む迷走電流を防ぐことができ、通信障害を回避することができる。また、本発明を適用する際には通信ケーブルＴＣ１を取り外す必要がなく、通信を停止しなくてもよい。
【００３１】
［第２の実施の形態］
図５は、第２の実施の形態における制御装置を適用した接地給電系統の構成を示す概略図である。図１に示したものと同様の構成であるが、迷走電流を小さくするための制御装置５０を通信用接地Ｅ０に接続される接地線に配置した点で異なる。
【００３２】
第２の実施の形態における制御装置５０は、整流器Ｒ１，Ｒ２を通信用接地Ｅ０に接続するプラス導体に流れる電流の大きさを測定し、流れる電流が大きくなったときに、その電流の大きさが閾値以下になるようにプラス導体のインピーダンスを調整するものである。
【図面の簡単な説明】
【００３３】
【図１】第１の実施の形態における制御装置を適用した接地給電系統の構成を示す概略図である。
【図２】上記制御装置の構成を示すブロック図である。
【図３】上記制御装置が直流電流を制御する動作を示すフローチャートである。
【図４】直流電流分配装置に複数の通信装置が接続された接地給電系統の様子を示す概略図である。
【図５】第２の実施の形態における制御装置を適用した接地給電系統の構成を示す概略図である。
【図６】従来の接地給電系統について説明するための概略図である。
【図７】上記接地給電系統の整流器が故障した場合の給電経路を説明するための概略図である。
【図８】迷走電流が通信ケーブルに流れないように対策を施した従来の通信ケーブルを示す図である。
【符号の説明】
【００３４】
１０，２０，５０…制御装置
１１…測定部
１２…調整部
Ｔ１，Ｔ２，Ｔ３，Ｔ４…通信装置
Ｌ１，Ｌ２，Ｒ１，Ｒ２…整流器
Ｂ１，Ｂ２…蓄電池
Ｅ０…通信用接地
ＴＣ１…通信ケーブル
ＰＬＰ１１，ＰＬＰ１２，ＰＬＰ１３，ＰＬＰ２１，ＰＬＰ２２，ＰＬＰ２３…プラス導体
ＰＬＭ１１，ＰＬＭ１２，ＰＬＭ１３，ＰＬＭ２１，ＰＬＭ２２，ＰＬＭ２３…マイナス導体
【図１】
2010074702.tif 000003
【図２】
2010074702.tif 000004
【図３】
2010074702.tif 000005
【図４】
2010074702.tif 000006
【図５】
2010074702.tif 000007
【図６】
2010074702.tif 000008
【図７】
2010074702.tif 000009
【図８】
2010074702.tif 000010